(57)【要約】【課題】本発明は、高トラックピッチ化に十分に対応可能な、新たなサーボライタ装置及びサーボライタ方法を提供する。【解決手段】本発明に係るサーボライタ装置は、浮上ヘッドが備える導体層１２に、第二方向（磁気ディスクの径方向）の幅を狭窄する狭窄部１６が形成されている。この狭窄部１６は、一対の凹部５ａ・５ｂを形成することにより、第一方向（磁気ディスクの回転方向）を基準として線対称の形状を有している。そのため、第一方向に電流を印加すると、互いに発生方向の反転する二つの磁界を、第二方向に沿って同時に発生できる。その結果、上記二つの磁界を用いることによって、磁気ディスク１５の半径方向において、先頭位置が同一角度位置にあり、お互いに磁化方向が反転した一対のサーボ信号を同時に、磁気ディスク１５に記録することができる。【選択図】図１
2007334989.tif 000002
【特許請求の範囲】
【請求項１】
回転駆動する情報記録媒体に対して、データ記録手段の位置制御を行うためのサーボ信号を記録するサーボライタ装置であって、
電流の印加により磁界を発生する導体層と、
当該導体層を、情報記録媒体の記録面に対して相対的に移動させる駆動手段と、
前記導体層に対してサーボ信号を提供可能とする位置制御手段とを備えており、
前記導体層には、お互いに磁化方向が反転している一対の磁気信号が発生するように、電流の印加方向に沿った幅を部分的に狭窄する狭窄部が形成されており、
前記導体層は、上記のお互いに磁化方向が反転している一対の磁気信号を用いて、前記情報記録媒体の半径方向において、先頭位置が同一角度位置にあり、お互いに磁化方向が反転した一対のサーボ信号を、前記位置制御手段からの情報に基づいて、前記情報記録媒体にサーボ信号を記録することを特徴とするサーボライタ装置。
【請求項２】
前記導体層には、電流の印加方向に延伸する帯状部を含んでおり、
前記狭窄部は、前記帯状部に形成されていることを特徴とする請求項１に記載のサーボライタ装置。
【請求項３】
前記狭窄部は、電流の印加方向を基準として線対称となる形状に形成されていることを特徴とする請求項１または２に記載のサーボライタ装置。
【請求項４】
前記狭窄部は、前記導体層の両端部から内側に向かって入り込む一対の凹部を形成することにより、前記導体層に設けられることを特徴とする請求項１ないし３の何れか１項に記載のサーボライタ装置。
【請求項５】
前記導体層は、前記情報記録媒体の記録面に対して相対的に移動可能となっており、
さらに、前記情報記録媒体の回転方向を第一方向とし、情報記録媒体の径方向を第二方向としたときに、
第一方向に電流を印加するようになっていることを特徴とする請求項１ないし４の何れか１項に記載のサーボライタ装置。
【請求項６】
さらに、前記導体層に光を照射する光源手段を備えており、
前記導体層では、光が照射された状態で電流を印加し、磁界を発生することを特徴とする請求項１ないし５の何れか１項に記載のサーボライタ装置。
【請求項７】
前記光源手段は、前記導体層の狭窄部に光を照射することを特徴とする請求項６に記載のサーボライタ装置。
【請求項８】
さらに、ヘッド状のサーボ信号記録手段を備えており、
当該サーボ信号記録手段には、少なくとも前記導体層が設けられていることを特徴とする請求項１ないし７の何れか１項に記載のサーボライタ装置。
【請求項９】
前記サーボ信号記録手段は、さらに前記光源手段を備えていることを特徴とする請求項８に記載のサーボライタ装置。
【請求項１０】
さらに、サーボ信号再生手段を備えており、
当該サーボ信号再生手段は、上記サーボ信号記録手段により記録されたサーボ信号を再生することを特徴とする請求項８または９に記載のサーボライタ装置。
【請求項１１】
前記一対のサーボ信号を構成する各々のサーボ信号の幅を、前記狭窄部の幅の１／２未満とするように、サーボ信号を記録することを特徴とする請求項１ないし１０の何れか１項に記載のサーボライタ装置。
【請求項１２】
回転駆動する情報記録媒体に対して、情報記録用の磁気ヘッドの位置制御を行うためのサーボ信号を記録するサーボ信号記録方法であって、
サーボ信号となるデータに基づいて電流を印加することにより磁界を発生させ、この磁界を用いて情報記録媒体にサーボ信号を記録するサーボ信号記録工程を含んでおり、
さらに、前記情報記録媒体の回転方向を第一方向とし、回転する情報記録媒体の径方向を第二方向としたときに、
前記サーボ信号記録工程では、単一の磁界発生手段によって、前記第一方向を基準として第二方向に沿って線対称となる位置に、互いに発生方向の反転する二つの磁界を同時に発生させ、
これら二つの磁界により、前記情報記録媒体の半径方向において、先頭位置が同一角度位置にあり、お互いに磁化方向が反転した一対のサーボ信号を前記情報記録媒体に記録することを特徴とするサーボ信号記録方法。
【請求項１３】
前記サーボ信号記録工程で用いられる磁界発生手段は、導電性を有する層状の導体層を備えており、
当該導体層における前記第一方向に電流を印加して磁界を発生するとともに、
前記導体層には、前記第一方向を基準として線対称の形状となるように、当該導体層の幅を狭窄する狭窄部が設けられているものであることを特徴とする請求項１２に記載のサーボ信号記録方法。
【請求項１４】
前記サーボ信号記録工程では、磁界発生手段に光を照射した状態で電流を印加し、磁界を発生することを特徴とする請求項１２または１３に記載のサーボ信号記録方法。
【請求項１５】
前記一対のサーボ信号を構成する各々のサーボ信号の幅を、前記狭窄部の幅の１／２未満とするように、サーボ信号を記録することを特徴とする請求項１２ないし１４の何れか１項に記載のサーボ信号記録方法。
【請求項１６】
請求項１〜１０の何れか１項に記載のサーボライタ装置を１構成要素として備え、かつ、
当該サーボライタ装置によって情報記録媒体にデータを記録するためのデータ記録手段と上記情報記録媒体に記録されたサーボ信号およびデータを再生するためのサーボ信号・データ再生手段とを備える記録再生手段を少なくとも備えることを特徴とする情報記録再生装置。
【請求項１７】
上記サーボ信号再生手段により再生されたサーボ信号を検出し、検出されたサーボ信号を演算し、その結果を位置制御用信号として出力するための検出手段と、
上記位置制御用信号に基づき、上記データ記録手段の位置情報を提供する位置制御手段と、
上記位置制御手段から提供される上記データ記録手段の位置情報に従い、上記データ記録手段を駆動するための駆動手段とを、さらに備えることを特徴とする請求項１６に記載の情報記録再生装置。
【発明の詳細な説明】
【技術分野】
【０００１】
本発明は、情報記録媒体上において磁気ヘッドの位置制御を行うためのサーボ信号を記録するためのサーボライタ装置及びサーボ信号記録方法に関するものであり、特に、情報記録媒体の高密度記録に伴う高トラックピッチ化に十分対応可能なサーボライタ装置及びサーボ信号記録方法に関するものである。
【背景技術】
【０００２】
従来、磁気ディスクドライブでは、磁気ディスクにデータ（情報）を記録再生したり消去したりするために、一般には磁気ヘッドが用いられる。この磁気ヘッドは、磁気ディスクの所望の位置に移動させて磁気を印加することで、データを記録再生したり消去したりする。したがって、磁気ヘッドを駆動させるには、当該磁気ヘッドを所望の位置に位置決めする制御が必要となる。
【０００３】
通常、磁気ディスク上には、位置決め制御のために用いられるサーボ領域と、データの記録再生を行うデータ領域とが交互に設けられている。このサーボ領域には、磁気ヘッドの位置決めを行うための制御信号、すなわちサーボ信号が所定の間隔毎に予め記録されている。したがって、位置決め制御においては、上記サーボ領域からサーボ信号を読み取って磁気ヘッドの位置を所望の位置に合わせる制御が行われる。
【０００４】
上記サーボ領域にサーボ信号を記録するためには、サーボライタ装置と呼ばれる専用の装置が用いられる。
【０００５】
具体的には、記録再生装置を用いて、磁気ディスクのデータ領域にデータを記録再生する前に、サーボライタ装置を用いて、サーボ領域にサーボ信号を記録することになる。
【０００６】
上記サーボライタ装置におけるサーボ信号の記録方式としては、（１）磁気ディスク単体をサーボライタ装置に組み込む方式（便宜上、ディスク組込方式と称する）、あるいは（２）磁気ディスクドライブをサーボライタ装置に組み込む方式（便宜上、ドライブ組込方式とする）が挙げられる。なお、サーボライタ装置については、例えば、非特許文献１等に開示されている。
【０００７】
上記ディスク組込方式では、サーボライタ装置は、サーボ信号を記録するための磁気ヘッド、この磁気ヘッドの記録位置を外部から制御する位置決め機構、及びトラックピッチや位置情報を磁気ヘッドに伝達する制御機構等から構成される。
【０００８】
一方、ドライブ組込方式では、磁気ディスクドライブの磁気ヘッドを用いてサーボ信号を記録する。このため、この方式の磁気ディスクドライブ（サーボライタ装置）では、上記ディスク組込方式と同様に、位置決め機構や制御機構等を備えるものの、位置決め機構及び制御機構等は、当該磁気ディスクドライブの磁気ヘッドの記録位置を制御したり、トラックピッチや位置情報を伝達したりすることになる。
【０００９】
ところで、現在、磁気や光を利用したメモリでは、光アシスト磁気記録等の高密度記録技術の開発が盛んに進められている。光アシスト磁気記録等のような高密度記録では、記録密度の増大に伴って高トラックピッチ化が求められる。このような高トラックピッチ化を実現するには、トラック方向の幅を狭くしたサーボ信号を記録することが必要である。また、高トラックピッチ化が進むと、サーボ信号を記録するべきトラック数も増加し、サーボ信号の記録時間が増加するという問題も生じる。
【００１０】
上記高トラックピッチ化に対応可能な技術として、例えば特許文献１に開示されるサーボ信号の記録方式が知られている。この技術では、サーボ信号の記録方法として、２チャンネルの薄膜ヘッドを用いて位相が反転したサーボ信号を同時に記録するようになっている。このように位相が反転したサーボ信号を記録することが出来れば、サーボ信号の記録時間を短縮することが可能である。
【特許文献１】特開昭６３−１２７４１６号公報（昭和６３（１９８８）年５月３１日公開）
【非特許文献１】「ハード・ディスク装置の構造と応用」（CQ出版社）
【発明の開示】
【発明が解決しようとする課題】
【００１１】
しかしながら、特許文献１に開示される技術では、薄膜ヘッドを用いるため、トラック幅が、薄膜ヘッドの一部である磁性体コアの幅や、磁性体コア間の間隔によって規定されてしまうという問題が生じる。
【００１２】
具体的には、記録磁界を発生させるためには、ある程度の大きさの磁性体コアが必要となる。言い換えれば、薄膜ヘッドを用いると、磁性体コアの大きさを小さくすることができないため、トラック幅を狭くすることが不可能となる。実際、特許文献１では、２個の磁性体コアの間隔を２μｍとし、各磁性体コアの幅をそれぞれ２５μｍとした場合に、トラック幅は５２μｍ程度に規定されている。
【００１３】
また、上記技術では、２チャンネルの磁気ヘッドを用いるため、２種類の磁界を制御する必要が生ずる。その結果、装置そのものの構成が複雑化するという問題も生じる。さらに、２種類の磁界を制御するということは、それぞれの磁界の同期を制御する必要も生じるため、装置構成だけでなく装置の動作制御も複雑になるという問題が生じる。
【００１４】
本発明は、上記問題点に鑑みなされたものであって、その目的は、高トラックピッチ化に十分に対応可能な、新たなサーボライタ装置及びサーボライタ方法、並びにその利用を提供することにある。
【課題を解決するための手段】
【００１５】
本発明に係るサーボライタ装置は、上記の課題を解決するために、回転駆動する情報記録媒体に対して、情報記録用の磁気ヘッドの位置制御を行うためのサーボ信号を記録するサーボライタ装置であって、電流の印加により磁界を発生する導体層と、当該導体層を、情報記録媒体の記録面に対して相対的に移動させる駆動手段と、前記導体層に対してサーボ信号を提供可能とする位置制御手段とを備えており、前記導体層には、お互いに磁化方向が反転している一対の磁気信号が発生するように、電流の印加方向に沿った幅を部分的に狭窄する狭窄部が形成されており、前記導体層は、上記のお互いに磁化方向が反転している一対の磁気信号を用いて、前記情報記録媒体の半径方向において、先頭位置が同一角度位置にあり、お互いに磁化方向が反転した一対のサーボ信号を、前記位置制御手段からの情報に基づいて、前記情報記録媒体にサーボ信号を記録することを特徴としている。
【００１６】
上記構成によれば、前記導体層には前記狭窄部が形成されているので、前記導体層に印加された電流は、狭窄部において狭窄される。そのため、狭窄部では、電流密度が高くなり、大きな磁界が発生する。それゆえ、前記磁界を用いることにより、サーボ信号を記録することができる。
【００１７】
また、上記構成によれば、駆動手段により、導体層を情報記録媒体の記録面に対して相対的に移動させることができる。それゆえ、情報記録媒体の記録位置に導体層を移動させ、サーボ信号を記録できるという効果を奏する。なお、前記記録位置とは、情報記録媒体上において、サーボ信号を記録する領域、すなわち、サーボ領域として、予め設定された領域のことを意味する。
【００１８】
さらに、上記構成によれば、前記サーボ信号記録手段に前記サーボ信号としての情報を提供することができる。また、当該情報に基づき、前記駆動手段を用いて前記サーボ信号記録手段を記録位置へ移動することができる。これにより、情報記録媒体におけるサーボ信号の記録位置上に、前記サーボ信号記録手段を維持した状態で、当該情報記録媒体にサーボ信号を記録できる。
【００１９】
本発明に係るサーボライタ装置は、上記の課題を解決するために、前記導体層には、電流の印加方向に延伸する帯状部を含んでおり、前記狭窄部は、前記帯状部に形成されていることが好ましい。
【００２０】
上記構成によれば、前記狭窄部は、電流の印加方向に延伸する帯状部に形成されているので、前記狭窄部の両側の側面に、大きな磁界が発生する。また、前記狭窄部の両側の側面で発生する磁界は、それぞれ磁界の向きが反対である。それゆえ、前記磁界を用いることにより、お互いに磁化方向が反転している一対のサーボ信号を記録することができる。
【００２１】
また、上記構成では、前記狭窄部の両側の側面で発生する磁界を用いて、発生方向が反転した一対のサーボ信号を一度に記録することができる。つまり、上記構成及び方法では、サーボ信号の記録に用いる磁界の制御が簡単である。それゆえ、装置が複雑化することはない。
【００２２】
本発明に係るサーボライタ装置は、上記の課題を解決するために、前記狭窄部は、電流の印加方向を基準として線対称となる形状に形成されていることが好ましい。
【００２３】
上記構成によれば、前記狭窄部は、電流の印加方向を基準として線対称となる形状に形成されている。そのため、狭窄部の両側の側面で発生する磁界の強度分布は、電流の印加方向を基準として線対称である。また、狭窄部の両側の側面で発生する磁界は、それぞれ磁界の向きが反対である。それゆえ、前記磁界を用いることにより、お互いに磁化方向が反転している一対のサーボ信号を記録することができる。
【００２４】
本発明に係るサーボライタ装置は、上記の課題を解決するために、前記狭窄部は、前記導体層の両端部から内側に向かって入り込む一対の凹部を形成することにより、前記導体層に設けられることが好ましい。
【００２５】
上記構成によれば、前記狭窄部は、前記導体層の両端部から内側に向かって入り込む一対の凹部として形成されているため、狭窄部の幅をより狭くすることは容易である。狭窄部への印加電流が一定の場合、狭窄部の幅が狭いほど、電流密度が大きくなる。狭窄部における電流密度が大きくなると、狭窄部の側面で発生する磁界が大きくなる。つまり、上記構成では、狭窄部における電流密度を高くし、発生磁界を大きくすることを容易に行うことができる。それゆえ、高トラックピッチ化に対応できる。
【００２６】
本発明に係るサーボライタ装置は、上記の課題を解決するために、前記導体層は、前記情報記録媒体の記録面に対して相対的に移動可能となっており、さらに、前記情報記録媒体の回転方向を第一方向とし、情報記録媒体の径方向を第二方向としたときに、第一方向に電流を印加するようになっていることが好ましい。
【００２７】
上記構成によれば、前記導体層に印加された電流は、情報記録媒体の径方向に狭窄される。そのため、前記狭窄部の前記情報記録媒体の径方向の両側の側面において、方向が逆向きの磁界が発生する。また、これら向きが反対の磁界は、前記情報記録媒体の回転中心に対して、先頭位置が同一角度位置にある。それゆえ、前記磁界を用いることにより、前記情報記録媒体の回転中心に対して、先頭位置が同一角度位置にあり、お互いに磁化方向が反転している一対のサーボ信号を記録することができる。
【００２８】
本発明に係るサーボライタ装置は、上記の課題を解決するために、さらに、前記導体層に光を照射する光源手段を備えており、前記導体層では、光が照射された状態で電流を印加し、磁界を発生することが好ましい。
【００２９】
上記構成によれば、光源手段により光が前記導体層に照射される。このとき、光は前記導体層に形成された狭窄部にも照射される。そのため、狭窄部の形状に依存した非常に微小領域では、近接場光が発生する。つまり、上記構成によれば、前記狭窄部において、前記磁界と近接場光とを発生させることができる。それゆえ、前記磁界と近接場光とを用いることによって、トラック方向により幅の狭い前記一対のサーボ信号を記録することができる。これにより、より高トラックピッチ化に対応することができる。
【００３０】
本発明に係るサーボライタ装置は、上記の課題を解決するために、前記光源手段は、前記導体層の狭窄部に光を照射することが好ましい。
【００３１】
上記構成によれば、光源手段により光が、狭窄部に照射される。そのため、狭窄部の形状に依存した非常に微小領域では、近接場光が発生する。つまり、上記構成によれば、前記狭窄部において、前記磁界と近接場光とを発生させることができる。それゆえ、前記磁界と近接場光とを用いることによって、トラック方向により幅の狭い前記一対のサーボ信号を記録することができるという効果を奏する。これにより、より高トラックピッチ化に対応することができる。
【００３２】
本発明に係るサーボライタ装置は、上記の課題を解決するために、さらに、ヘッド状のサーボ信号記録手段を備えており、当該サーボ信号記録手段には、少なくとも前記導体層が設けられていることが好ましい。
【００３３】
上記構成によれば、前記導体層が、ヘッド状のサーボ信号記録手段に設けられている。それゆえ、前記導体層の狭窄部において発生する磁界を用いて、サーボ信号を情報記録媒体に記録できる。
【００３４】
本発明に係るサーボライタ装置は、上記の課題を解決するために、前記サーボ信号記録手段は、さらに前記光源手段を備えていることが好ましい。
【００３５】
上記構成によれば、前記サーボ信号記録手段に、前記光源手段が備えられている。そのため、サーボ信号記録手段に設けられた導体層に、光を照射することができる。その結果、前記導体層の狭窄部から微小領域に、近接場光を発生させることができる。それゆえ、前記磁界と近接場光とを用いることによって、トラック方向により幅の狭い前記一対のサーボ信号を記録することができる。
【００３６】
本発明に係るサーボライタ装置は、上記の課題を解決するために、さらに、サーボ信号再生手段を備えており、当該サーボ信号再生手段は、上記サーボ信号記録手段により記録されたサーボ信号を再生することが好ましい。
【００３７】
上記構成によれば、上記サーボライタ装置は、上記サーボ信号記録手段によりサーボ信号を記録する。さらに、当該記録されたサーボ信号を、上記サーボ信号再生手段により再生することができる。それゆえ、上記サーボ信号記録手段により、サーボ信号が良好に記録されているかどうかを検証することができる。
【００３８】
本発明に係るサーボライタ装置は、上記の課題を解決するために、前記一対のサーボ信号を構成する各々のサーボ信号の幅を、前記狭窄部の幅の１／２未満とするように、サーボ信号を記録することが好ましい。
【００３９】
上記構成によれば、前記一対のサーボ信号を構成する各々のサーボ信号の幅は、前記狭窄部の幅の１／２より狭い。したがって、前記情報記録媒体の回転中心に対して、各々のサーボ信号と同一半径位置のデータ領域を用いて、情報も記録再生を行うことができる。つまり、１つの一対のサーボ信号に基づいて、２つのデータ領域の位置合わせを行うことが可能となる。そのため、情報記録媒体上にサーボ信号を書き込む回数を少なくすることができる。それゆえ、情報記録媒体へのサーボ信号の記録時間を短縮することができる。
【００４０】
さらに、上記構成によれば、２つのデータ領域に対して、１つの一対のサーボ信号しか必要としない。それゆえ、記録密度を向上させることができる。
【００４１】
本発明に係るサーボ信号記録方法は、上記の課題を解決するために、回転駆動する情報記録媒体に対して、情報記録用の磁気ヘッドの位置制御を行うためのサーボ信号を記録するサーボ信号記録方法であって、サーボ信号となるデータに基づいて電流を印加することにより磁界を発生させ、この磁界を用いて情報記録媒体にサーボ信号を記録するサーボ信号記録工程を含んでおり、さらに、前記情報記録媒体の回転方向を第一方向とし、回転する情報記録媒体の径方向を第二方向としたときに、前記サーボ信号記録工程では、単一の磁界発生手段によって、前記第一方向を基準として第二方向に沿って線対称となる位置に、互いに発生方向の反転する二つの磁界を同時に発生させ、これら二つの磁界により、前記情報記録媒体の半径方向において、先頭位置が同一角度位置にあり、お互いに磁化方向が反転した一対のサーボ信号を前記情報記録媒体に記録することを特徴としている。
【００４２】
上記方法によれば、前記磁界発生手段では、サーボ信号となるデータに基づいて電流を印加することにより磁界が発生する。また、前記磁界発生手段は、前記情報記録媒体の回転方向を基準として、回転する情報記録媒体の径方向に沿って線対称となる位置に２つの磁界を発生させるようになっている。さらに、当該２つの磁界は、互いに発生方向が反転するようになっている。したがって、これら向きが反対の磁界は、前記情報記録媒体の回転中心に対して、先頭位置が同一角度位置にある。それゆえ、前記磁界を用いることにより、前記情報記録媒体の回転中心に対して、先頭位置が同一角度位置にあり、お互いに磁化方向が反転している一対のサーボ信号を記録することができる。
【００４３】
また、上記方法では、発生方向が反転した一対のサーボ信号を一度に記録することができる。それゆえ、上記方法では、サーボ信号の記録に用いる磁界を容易に制御することができる。
【００４４】
本発明に係るサーボ信号記録方法は、上記の課題を解決するために、前記サーボ信号記録工程で用いられる磁界発生手段は、導電性を有する層状の導体層を備えており、当該導体層における前記第一方向に電流を印加して磁界を発生するとともに、前記導体層には、前記第一方向を基準として線対称の形状となるように、当該導体層の幅を狭窄する狭窄部が設けられているものであることが好ましい。
【００４５】
上記方法によれば、前記磁界発生手段は、前記導体層を備えている。また、前記導体層には狭窄部が形成されている。さらに、前記導体層に印加された電流は、狭窄部において情報記録媒体の回転方向を基準として線対称に狭窄される。そのため、前記狭窄部の前記情報記録媒体の回転半径方向の両側の側面において、先頭位置が同一角度位置にあり、方向が逆向きの磁界が発生することになる。それゆえ、前記磁界を用いることにより、前記情報記録媒体の回転中心に対して、先頭位置が同一角度位置にあり、お互いに磁化方向が反転している一対のサーボ信号を記録することができる。
【００４６】
本発明に係るサーボ信号記録方法は、上記の課題を解決するために、前記サーボ信号記録工程では、磁界発生手段に光を照射した状態で電流を印加し、磁界を発生することが好ましい。
【００４７】
上記方法によれば、前記磁界発生手段に光が照射される。そのため、前記磁界発生手段に備えられた導体層の狭窄部から微細領域に、近接場光を発生させることができる。さらに、その状態で、前記磁界発生手段に電流を印加するので、前記狭窄部において、磁界を発生させることができる。それゆえ、前記磁界と近接場光とを用いることにより、よりトラック方向に幅の狭い前記一対のサーボ信号を記録することができる。これにより、より高トラックピッチ化に対応することができる。
【００４８】
本発明に係るサーボ信号記録方法は、上記の課題を解決するために、前記一対のサーボ信号を構成する各々のサーボ信号の幅を、前記狭窄部の幅の１／２未満とするように、サーボ信号を記録することが好ましい。
【００４９】
上記方法によれば、前記一対のサーボ信号を構成する各々のサーボ信号の幅は、前記狭窄部の幅の１／２より狭い。したがって、前記情報記録媒体の回転中心に対して、各々のサーボ信号と同一半径位置のデータ領域を用いて、情報も記録再生を行うことができる。つまり、１つの一対のサーボ信号に基づいて、２つのデータ領域の位置合わせを行うことが可能となる。そのため、情報記録媒体上にサーボ信号を書き込む回数を少なくすることができる。それゆえ、情報記録媒体へのサーボ信号の記録時間を短縮することができる。
【００５０】
本発明に係る情報記録再生装置は、上記課題を解決するために、上記サーボライタ装置を１構成要素として備え、かつ、当該サーボライタ装置によって情報記録媒体にデータを記録するためのデータ記録手段と上記情報記録媒体に記録されたサーボ信号およびデータを再生するためのサーボ信号・データ再生手段とを備える記録再生手段を少なくとも備えることを特徴としている。
【００５１】
上記構成によれば、上記情報記録再生装置は、上記サーボライタ装置を構成要素の１つとして備えている。したがって、上記情報記録再生装置は、情報記録媒体にサーボ信号を記録することができる。さらに、上記情報記録再生装置は、自身が上記情報記録媒体に記録したサーボ信号を、上記記録再生手段に備えられたサーボ信号・データ再生手段により再生することができる。加えて、上記サーボ信号・データ再生手段により再生したサーボ信号に基づいて、上記情報記録媒体上の所望の位置に、上記記録再生手段に備えられたデータ記録手段によりデータを記録し、さらには、上記サーボ信号・データ再生手段により当該記録されたデータを再生することができる。それゆえ、上記構成によれば、情報記録媒体にサーボ信号を記録した後、当該情報記録媒体を情報記録再生装置に組み込む手間を省略することができる。
【００５２】
また、上記構成によれば、前記サーボ信号再生手段は、情報記録媒体上に記録されたサーボ信号を再生するだけではなく、情報記録媒体に記録されたデータを再生する。そのため、サーボ信号再生手段とデータ再生手段とを別々に備える必要がない。それゆえ、装置の構成を単純なものとすることができる。
【００５３】
本発明に係る情報記録再生装置は、上記サーボ信号再生手段により再生されたサーボ信号を検出し、検出されたサーボ信号を演算し、その結果を位置制御用信号として出力するための検出手段と、上記位置制御用信号に基づき、上記データ記録手段の位置情報を提供する位置制御手段と、上記位置制御手段から提供される上記データ記録手段の位置情報に従い、上記データ記録手段を駆動するための駆動手段とを、さらに備えることが好ましい。
【００５４】
上記構成によれば、上記検出手段は、上記サーボ信号再生手段が再生したサーボ信号を検出する。さらに、当該サーボ信号を演算し、その結果を位置制御用信号として、上記位置制御手段に対して出力する。上記位置制御手段は、上記位置制御用信号に基づき、上記データ記録手段の位置情報を上記駆動手段に提供する。上記駆動手段は、上記位置制御手段から提供される位置情報に従い、上記データ記録手段がデータを記録する情報記録媒体の位置に、上記データ記録手段を駆動する。それゆえ、上記データ記録手段は、上記情報記録媒体のデータ領域に正しく、データを記録できる。なお、上記演算とは、上記検出手段が検出した信号を用いた各種演算を意味するものである。
【発明の効果】
【００５５】
以上のように、本発明によれば、単一の磁界発生手段を用いて、互いに発生方向の反転する二つの磁界を同時に発生するようになっている。特に、磁界発生手段として、その幅が部分的に狭窄された狭窄部を有する導体層を用いれば、簡素な構成で確実に前記二つの磁界を同時に発生させることができる。それゆえ、情報記録媒体に対して、互いに磁化方向の反転する一対のサーボ信号を同時に記録することができる。記録される一対のサーボ信号は、先頭位置が情報記録媒体の回転中心に対して同一角度位置から形成されており、かつ、互いに磁化方向が反転しているため、高トラックピッチ化に好適に対応するサーボ信号となっている。その結果、本発明によれば、情報記録媒体の高密度記録に十分対応可能なサーボ信号を適切に記録できるとともに、サーボ信号の記録時間も短縮することができるという効果を奏する。
【発明を実施するための最良の形態】
【００５６】
〔実施の形態１〕
本発明の一実施形態について図１〜４に基づいて説明すると以下の通りであるが、本発明はこれに限定されるものではない。本実施の形態では、サーボ信号を情報記録媒体に記録するサーボライタ装置について具体的に説明する。
【００５７】
本実施の形態に係るサーボライタ装置は、図２（ａ）に示すように、浮上ヘッド（サーボ信号記録手段）１０、位置制御部（位置制御手段、サーボ信号情報出力手段）１３、駆動機構１４を（駆動手段）備える構成を挙げることができる。浮上ヘッド１０は、駆動機構１４により磁気ディスク１５の記録面上を移動可能に駆動される。このとき浮上ヘッド１０の位置制御は、位置制御部１３によりなされる。
【００５８】
磁気ディスク１５は、磁気的に情報の記録、再生、消去を行う情報記録媒体であれば特に限定されるものではない。本実施の形態では、キュリー温度が１７０℃のＴｂＦｅＣｏ磁性層を有する磁気ディスク１５を例示するが、もちろんこれに限定されるものではなく、従来公知の各種情報記録媒体を好適に用いることができる。磁気ディスク１５としては、例えば、ＧｄＦｅＣｏなどの保磁力の小さい磁性層や、Ｆｅ／Ｐｔ多層膜からなる磁性層を用いることができる。
【００５９】
前記浮上ヘッド１０は、当該浮上ヘッド１０の本体となるスライダー１１と、このスライダー１１に一体化して設けられる導体層１２を備えている。浮上ヘッド１０においては、磁気ディスク（情報記録媒体）１５の記録面に対向する面（対向面）に導体層１２が設けられている。なお、図示しないが、導体層１２に電流を印加する電極も設けられている。電極の具体的な構成は特に限定されるものではなく、公知の構成であればよい。
【００６０】
前記スライダー１１は、図示していないがサスペンションに取り付けられている。また、浮上ヘッド１０は、駆動機構１４により、磁気ヘッド１０の記録面に対して相対的に移動可能なように駆動される。サスペンジョン及び駆動機構１４の具体的な構成は特に限定されるものではなく、サーボライタ装置や記録ヘッドの技術分野で公知の構成を適宜選択して採用することができる。また、本実施の形態では、サーボライタ装置として、浮上ヘッドの形態を例示するが、もちろん本発明はこれに限られたものではなく、公知の他の構成も好適に用いることができる。
【００６１】
前記導体層１２は、電流を印加して磁界を発生させる磁界発生部であり、本発明に係るサーボライタ装置においての記録ヘッドということができる。本発明では、導電性を有する層状であればよい。言い換えれば、導体層１２は二次元方向に広がる平板形状の導電体であればよい。この導体層１２の具体的な材質は特に限定されるものではなく、公知の導電性材料、例えば電気伝導率の高い金属、具体的にはＡｕ、Ｐｔ，Ａｇ，Ｃｕ等といった１Ｂ族や８族の金属を好適に用いることができる。また、上記金属は、例えばＳｉＯ2等の誘電体材料からなる基板の上に層状に形成されることが好ましい。金属層の形成方法は特に限定されるものではなく、公知の化学蒸着やスパッタリング等の方法を適宜用いればよい。また、導体層１２の厚みも特に限定されるものではなく、磁気ディスク１５にサーボ信号を記録するに十分な磁界を発生可能な厚みを有していればよい。一般的には、８０〜４００ｎｍの範囲内が好ましい。
【００６２】
本実施の形態では、導体層１２は、後述するように、電流の印加方向に沿った幅を部分的に狭窄する（狭められている）狭窄部が形成されている。なお、導体層１２の具体的な形状については狭窄部とともに後に詳述する。
【００６３】
また、本実施の形態では、導体層１２のみで磁界発生部が構成されるが、もちろんこれに限定されるものではなく、磁界発生において公知となっている他の部材等を備えていてもよい。言い換えれば、本発明で用いられる磁界発生部は導体層１２のみからなっていてもよいし、他の構成を含んでいてもよい。
【００６４】
前記位置制御部１３は、後述するように、浮上ヘッド１０に対してサーボ信号を記録するための位置情報を提供するものであり、換言すれば、浮上ヘッド１０は、位置制御部１３から入力された位置情報に基づいて、磁気ディスク１５の記録面にサーボ信号を記録するようになっている。また、位置制御部１３は、駆動機構１４による浮上ヘッド１０の駆動も制御しており、駆動機構１４は、位置制御部１３からの駆動情報に基づいて浮上ヘッド１０を所定の位置へ駆動させる。
【００６５】
磁気ディスク１５には、はじめ位置情報が形成されていないため、浮上ヘッド１０の位置は、外部の位置制御部１４にて制御される。すなわち、位置制御部１３は、サーボ信号を記録するための位置情報を提供するとともに、駆動機構１４に駆動情報を提供し、サーボ信号の記録を行う場所に移動させる。これにより、位置制御部１３と駆動機構１４にて浮上ヘッド１０が所定の位置で制御されつつ、位置制御部１３からの位置情報に基づいて、浮上ヘッド１０（導体層１２）によってサーボ信号が磁気ディスク１５に記録される。
【００６６】
ここで、本実施の形態で用いられる磁気ディスク１５は、図２（ｂ）に示すように、回転中心Ｏを回転軸として回転駆動されるようになっている。この磁気ディスク１５の回転方向、すなわち円形の磁気ディスク１５の周方向を第一方向とし、磁気ディスク１５の径方向（回転中心Ｏから外周に向かう方向、半径方向）を第二方向とすると、前記導体層１２は、図１（ａ）に示すように、前記第一方向を基準として線対称の形状となるように、当該導体層１２の幅を狭窄する狭窄部１６が設けられている。図１（ａ）では、狭窄部１６は、上下からくぼんだ形状になっている。
【００６７】
より具体的には、図１（ａ）に示す構成では、前記導体層１２の中央部に長方形状に狭められた帯状部４が設けられており、この部位のさらに中央に、二つの凹部５ａ・５ｂが互いに対向して形成されている。これら一対の凹部５ａ・５ｂ間のくびれた部位が狭窄部１６となる。
【００６８】
前記一対の凹部５ａ・５ｂは、導体層１２の帯状部４の両端部から内側に向かって入り込む形状を有しており、図１（ａ）に示す構成では、半楕円状の形状を有している。これら二つの凹部が互いに対向しているため、帯状部４の中央部は、周囲よりもその幅が狭窄された狭窄部１６となっている。
【００６９】
さらに一対の凹部５ａ・５ｂは、電流の印加方向（第一方向と同じ）を基準として線対称となるように形成されており、凹部５ａ・５ｂそのものも、印加方向に直交する方向（第二方向と同じ）を基準として線対称となるように形成されている。つまり、図１（ａ）に示す構成では、仮に、導体層１２を第一方向に沿った中央線（図中、横方向の破線）で折り曲げても、第二方向に沿った中央線（図中、縦方向の破線）で折り曲げても、互いに重なるような線対称の形状となっている。
【００７０】
前記狭窄部１６は、導体層１２の両端部を、内側に向かって半楕円状に切り欠いた状態で形成される。言い換えれば、磁気ディスク１５の径方向を基準として内周側の端部（図中下方）と外周側の端部（図中上方）から、内側に向かって入り込むように、一対の凹部５ａ・５ｂを形成することで、幅方向にくびれた狭窄部１６が形成される。
【００７１】
ここで、一対の凹部５ａ・５ｂの形状は特に限定されるものではなく、図１（ａ）に示すように、半楕円形状あるいは二次曲線形状であってもよいし、それ以外の形状であってもよい。例えば、三角形状であってもよいし長方形状であってもよいし、その他の形状であってもよい。また、本実施の形態では、一対の凹部５ａ・５ｂは、電流の印加方向を基準として線対称となる形状に形成されているが、もちろんこれに限定されるものではなく、必ずしも線対称となっていなくてもよい。
【００７２】
ただし、本実施の形態では、半楕円形状または二次曲線形状のように、一対の凹部５ａ・５ｂの先端は曲線状となっていることが非常に好ましい。凹部の先端が曲線状になっていれば、磁界を発生させる部位の形状を略円形状とすることができる。そのため、後述する一対のサーボ信号を良好に形成することが可能となる。また、一対の凹部５ａ・５ｂは、電流の印加方向を基準として線対称になっていることが好ましい。線対称となっていることで、狭窄部１６の両端部に、互いに反転する以外は同様の磁界を形成することができる。
【００７３】
さらに、図１（ａ）に示すように、本実施の形態の導体層１２は、電流の印加方向（第二方向）に延伸する帯状部４を含んでおり、前記狭窄部１６は、この帯状部４に形成されていることが好ましい。帯状部４は、電流の印加方向に沿って伸びる細長い構造を有しているため、右ねじの法則により、帯状部４の長手方向の両端部（図中上下）に良好に磁界を形成することができる。帯状部４の構造は特に限定されるものではなく、印加する電流や形成する磁界の強さ、あるいは磁気ディスク１５の種類や浮上ヘッド１０の構造等に応じて適宜設計することができる。
【００７４】
本実施の形態における導体層１２及び狭窄部１６について、より具体的に説明すると、図３に示すように、狭窄部１６は、図中、上下からくぼんだ形状となるように形成されており、第一方向をＹ、第二方向をＸとしたときには、帯状部４の長さＸ１＝１０μｍ、帯状部４の幅Ｙ１＝３μｍ、狭窄部１６の幅Ｙ２＝５０ｎｍ、導体層１２の幅Ｙ３＝４０μｍ、狭窄部１６の曲率半径Ｙ４＝１００ｎｍとなっている例を挙げることができる。このような微細な狭窄部１６を有する導体層１０２の作製方法は特に限定されるものではなく、ＦＩＢやフォトリソグラフィー等の公知の方法により作製可能であり、特別な作製工程を必要としない。
【００７５】
なお、狭窄部１６の具体的な形状は、上述した形状に限られるものではなく、互いに磁化方向が反転している一対のサーボ信号が記録できるような形状であれば良い。
【００７６】
次に、前記狭窄部１６を有する導体層１２を用いてサーボ信号を記録する原理について説明する。記録されるサーボ信号は、互いに磁化方向が反転した二つのサーボ信号の対となっており、これら一対のサーボ信号は、何れも磁気ディスク１５の径方向においてそれぞれの先頭位置が同一角度位置から形成されるようになっている。
【００７７】
まず、導体層１２に対して、図１（ａ）中横方向（第二方向）に沿って電流を印加する（図１（ａ）中では白抜きの矢印で示す）。これにより、導体層１２の電流の印加方向（第二方向）に沿った周囲（図中上下の領域）には、紙面の垂直方向に磁界が発生する。特に、狭窄部１６の上下では、印加される電流が狭窄されるために電流密度が大きくなり、より強い磁界が発生する。
【００７８】
このとき、図１（ｂ）に示すように、右ねじの法則により、狭窄部１６の両端部、すなわち、内周側の凹部５ａと外周側の凹部５ｂとのそれぞれにおいては、強磁界（図中太線の矢印で示す）の発生方向が反対になる（反転する）。その結果、狭窄部１６の外周側（図中上方）では、紙面裏面から表面の方向の磁界が発生し（図１（ａ）中○印）、狭窄部１６の内周側（図中下方）では、紙面表側から裏側の方向へ磁界が発生する（図１（ａ）中×印）。このように、本実施の形態では、導体層１２が狭窄部１６を有しているために、互いに発生方向の反転する二つの磁界を同時に発生できるようになっている。
【００７９】
したがって、本実施の形態の構成によれば、磁気ディスク１５上に、導体層１２を配し、導体層１２に電流を印加すると、導体層１２の狭窄部１６により、互いに発生方向の反転する一対の磁界を形成することができるので、磁気ディスク１５上に、互いに磁化方向の反転する磁気信号を記録することができる。また電流の印加方向を反転すれば、交番磁界が発生するので、交番磁界に従った磁気信号を記録することができる。
【００８０】
ここで、導体層１２に対する電流の印加条件は特に限定されるものではない。例えば、導体層１２に印加される電流量は、狭窄部１６が破壊されない程度の強さであればよい。言い換えれば、導体層１２への印加電流量は、狭窄部１６の幅に依存する。具体的には、例えば、狭窄部１６の幅Ｙ２＝５０ｎｍの場合、印加電流量は１００ｍＡ程度であれば、狭窄部１６が破壊されることはない。また、印加電流を一定とする場合、狭窄部１６の幅Ｙ２は狭ければ狭いほど、電流密度が増加することになるので、発生磁界を多くすることができる。
【００８１】
ただし、あまり幅Ｙ２を狭くすると印加電流による発熱が過大になるので、帯状部４の幅Ｙ１＝３μｍである場合には、狭窄部１６の幅Ｙ２＝３０ｎm以上であることが好ましい。言い換えれば、狭窄部１６の幅Ｙ２は、導体層１２の材質やその他の条件にもよるが、帯状部４の幅の１％を超えていればよい。また、狭窄部の幅Ｙ２があまり広くなると、電流密度があまり増加しない。このため、１００nm以下が望ましい。
【００８２】
交番信号の印加による磁気信号の記録について具体的に説明する。図４に示すように、磁気ディスク１５（図４では図示せず）を図中矢印の方向に回転させた状態で、導体層１２を搭載した浮上ヘッド１０（図４では導体層１２のみを図示）を、磁気ディスク１５の所望の位置に移動させる。そして、導体層１２に交番電流を印加（図中白抜きの矢印）すると、導体層１２の狭窄部１６に一対の強電界が形成され、その結果、回転する磁気ディスク１５の記録面には、図中点線で示すように、狭窄部１６の両端に対応する回転方向の後方位置に、交番電流に沿った磁気信号２０が順次記録されていく。
【００８３】
図４に示す磁気信号２０のうち、狭窄部１６の下方（磁気ディスク１５の内周側）に発生した磁界によって記録された磁気信号が、内周側信号２１であり、狭窄部１６の上方（磁気ディスク１５の外周側）に発生した磁界によって記録された磁気信号が、外周側信号２２である。また、磁気信号２０のうち白抜きの部分は紙面の裏面から表面に向かう磁気信号（便宜上、往方向信号と称する）２０ａであり、斜線の部分は紙面の表面から裏面に向かう磁気信号（便宜上、復方向信号と称する）２０ｂである。
【００８４】
内周側信号２１と外周側信号２２とは、それぞれの先頭位置は、磁気ディスク１５の径方向（第二方向、半径方向、図２（ｂ）参照）において同一の角度位置から、お互いに反転した磁気信号として記録される。これは、前述した通り、狭窄部１６の上部から発生する磁界と下部から発生する磁界との発生方向が反転しているためである。しかも、これら磁界は、第一方向すなわち磁気ディスク１５の回転方向を基準とし、第二方向すなわち磁気ディスク１５の径方向にそって線対称となる位置に形成される。その結果、印加される交番電流を制御することにより、磁気ディスク１５に対して、互いに磁化方向の反転する一対の磁気信号を同時に記録することができる。
【００８５】
例えば、図４では、内周側信号２１が、短い復方向信号及び往方向信号の２回の繰り返しに続いて、中程度の復方向信号、長い往方向信号、中程度の復方向信号、短い往方向信号というパターンで記録されれば、外周側信号２２は、これに反転する状態で、短い往方向信号及び復方向信号の２回の繰り返しに続いて、中程度の往方向信号、長い復方向信号、中程度の往方向信号、短い復方向信号というパターンで記録される。
【００８６】
一般に、磁気ディスク１５等の円板状の情報記録媒体から情報を再生する場合、トラッキングサーボを行うために、情報記録媒体のトラックの所定位置にサーボ信号を記録するようになっている。この場合、周波数が異なるか、位相が互いに異なるサーボ信号が対となり、それぞれのサーボ信号がそれぞれの領域に記録される。
【００８７】
本発明では、上記のように一対の磁気信号２０（内周側信号２１・外周側信号２２）を記録することができるので、これをサーボ信号として用いることが可能となる。しかも、単一の磁気ヘッド（導体層１２）により、一度に２本のサーボ信号を記録できるので、サーボ信号の記録時間を短縮化することが可能となる。
【００８８】
なお、サーボ信号を記録する際の諸条件、例えば磁気ディスク１５の回転速度等は特に限定されるものではなく、本技術分野で公知の条件全般について好適に適用することができる。また、サーボ信号を用いた磁気ヘッドの位置制御の具体的な方法については、後述の実施の形態３で説明する。
【００８９】
〔実施の形態２〕
本発明の他の実施形態について図５に基づいて説明すれば以下の通りである。なお、説明の便宜上、実施の形態１で用いた部材と同一の機能を有する部材には同一の部材番号を付記し、その説明を省略する。
【００９０】
本実施の形態では、前記実施の形態１で例示した、狭窄部１６を有する導体層１２に対して、さらに光を照射した上で電流を印加する構成について説明する。
【００９１】
具体的には、図５（ａ）に示すように、本実施の形態に係るサーボライタ装置は、前記実施の形態１と基本的に同様の構成を有しているが、浮上ヘッド１０が、さらに光源部（光源手段）１７を備えている。この光源部１７は、導体層１２に対して光を照射できるような位置に設けられる。なお、図中点線で示される三角形状は光源部１７から導体層１２に対して照射される光を示している。
【００９２】
また、本実施の形態２に係るサーボライタ装置では、図５（ａ）に示すように、磁気ディスク１５’にサーボ信号を記録する。上記磁気ディスク１５’は、実施の形態１における磁気ディスク１５と同一のものも用いることができる。
【００９３】
光源部１７は、導体層１２に光を照射可能な構成であれば特に限定されるものではないが、例えば、公知の半導体レーザを好適に用いることができる。また、後述するように、光源部１７から照射される光は、導体層１２の狭窄部１６に対して照射されることが好ましいので、当該狭窄部１６に光を有効かつ効率良くに照射できるように、対物レンズを設けていてもよい。この対物レンズも特に限定されるものではなく、光源部１７の具体的な種類に対応する公知の対物レンズを用いればよい。
【００９４】
前記導体層１２と光源部１７とは、光源部１７からの光が導体層１２の所定箇所（狭窄部１６）に照射されるように位置合わせされた上で、スライダー１１に固定されていればよい。図５（ａ）では、下方に導体層１２を、当該導体層１２の上方に光源部１７を設けた模式的な構成を例示しているが、もちろんこれに限定されるものではなく、公知の光学部材を用いて、側方から出射される光を下方の導体層１２に導くような構成としてもよい。
【００９５】
さらに、光源部１７はスライダー１１に固定されることで浮上ヘッド１０に設けられていることになるが、もちろん本発明はこれに限定されるものではなく、浮上ヘッド１０の外部に設けられていてもよい。すなわち、本発明では、光源部１７は、導体層１２（特に狭窄部１６）に光を照射できるようになっていればよい。
【００９６】
前記光源部１７から導体層１２に光が照射された状態を、磁気ディスク１５’側から見たときの状態を図５（ｂ）に示す。前記実施の形態１と同様に、導体層１２においては、前記狭窄部１６は半径方向（第二方向）に形成され、狭窄部１６の外周側と内周側が同一角度位置になっている。つまり、図中、上下からくぼんだ一対の「くぼみ」が半径方向に形成されており、くぼみの上部の中心と下部の中心とが同一角度位置になるようになっている。なお、導体層１２の具体的な大きさ（帯状部４の長さ、幅、狭窄部１６の幅、導体層１２の幅、狭窄部１６の曲率半径等）は前記実施の形態１と同じであればよい（図３および対応する説明を参照）。
【００９７】
導体層１２の狭窄部１６には、光源部１７からの光のスポット１８が照射されている。照射される光は狭窄部１６に当てられればよいが、図５（ｂ）に示すように、狭窄部１６全体に照射されるようになっていることが好ましい。これにより、後述する近接場光の発生をより好ましい状態とすることができる。
【００９８】
ここで、光スポット１８のスポット径Ｙ５の下限は、狭窄部１６全体を照射できる程度の大きさであればよいが、好ましくは、少なくとも狭窄部１６の上下のくぼみ全体を照射できる程度の大きさである。一方、スポット径Ｙ５の上限は、磁気ディスクへの影響を出来るだけ少なくするために、帯状部４の幅Ｙ１よりも小さくなっていればより好ましい。なお、スポット径Ｙ５は、用いられる光源部１７の種類（光の波長等）や対物レンズのＮＡに依存するので、目的に応じて適切な光源部１７や対物レンズを用いて所望のスポット径Ｙ５を実現すればよい。
【００９９】
具体的には、例えば、前記実施の形態１と同様に、帯状部４の幅Ｙ１＝３μｍ、狭窄部１６の幅Ｙ２＝５０ｎｍであれば、上下のくぼみ全体を照射できるようにするため、光スポット１８の直径（スポット径Ｙ５）は理論上は５０ｎｍを超えればよい。また、光スポット１８の直径（スポット径Ｙ５）の上限は、３０００ｎｍ（＝３μｍ、帯状部４の幅）未満であることが好ましい。例えば、波長６３０ｎｍのレーザとＮＡ０．６５の対物レンズを用いれば、スポット径を約６５０ｎｍとすることができる。スポット径がこの大きさであれば、狭窄部１６全体を確実に照射することができる。
【０１００】
次に、狭窄部１６に光を照射することによる近接場光の発生について説明する。図５（ｂ）に示すように、狭窄部１６に光を照射すると、狭窄部１６の磁気ディスク１５’と面した側（対向面）に近接場光が発生する。このとき、近接場光の発生領域は狭窄部１６の曲率半径に依存する。例えば、本実施の形態のように曲率半径Ｙ４＝１００ｎｍの場合、狭窄部１６の頂点近傍に、直径１００ｎｍ程度の非常に微小な領域のみに近接場光が発生する。
【０１０１】
したがって、本実施の形態に係るサーボライタ装置では、磁気ディスク１５’を所定速度で回転させて、狭窄部１６からの近接場光を磁気ディスク１５’に発生させるとともに、前記実施の形態１と同様に、狭窄部１６からの位置情報に対応した交番磁界を用いて、サーボ信号を記録する。このとき、浮上ヘッド１０は、位置制御部１３により位置制御が行われ、駆動機構１４によってサーボ信号の記録を行う場所に移動される。
【０１０２】
このような微小な近接場光によってサーボ信号を記録すれば、より幅の狭いサーボ信号を磁気ディスク１５’に記録することが可能となる。その結果、磁気ディスク１５’の高トラックピッチ化により一層十分に対応することが可能となり、高記録密度で情報の記録を行うことができる。
【０１０３】
近接場光の発生によるサーボ信号の記録をより具体的に説明する。例えば、磁気ディスク１５’を３６００ｒｐｍで回転させて、光源部１７から８ｍＷのレーザ光を狭窄部１６に対して照射する。これにより狭窄部１６から微小な近接場光が発生する。そこで、導体層に１００ｍＡの電流を変調しながら印加すれば、磁気ディスク１５’上に磁化方向が反転した一対のサーボ信号を記録できる。このとき、一対のサーボ信号は、前記実施の形態１と同様に、それぞれの先頭位置が半径方向において同一角度位置から記録されるだけでなく、一対のサーボ信号の間隔をより精細なものとすることができる。
【０１０４】
各々のサーボ信号の間隔、すなわちサーボ信号とサーボ信号との半径方向の距離は、狭窄部１６の形状、特に、狭窄部１６の幅Ｙ２に依存する。狭窄部１６の幅Ｙ２＝５０ｎｍであれば、各々のサーボ信号の間隔を５０ｎｍとすることが可能となる。この場合、各々のサーボ信号の幅（半径方向の長さ）は２５ｎｍとなる。前記のように、近接場光の発生領域は、狭窄部１６のくぼみ、すなわち凹部５ａ・５ｂ（図１（ａ）及び図３参照）の曲率半径に依存する。近接場光そのものは直径１００ｎｍ程度の範囲で発生しているが、このうち幅２５ｎｍの領域が記録に対して有効となる。それゆえ、本実施の形態によれば、磁気ディスク１５’において、幅２５ｎｍという非常に微細な領域において、記録面を記録可能な温度にまで上昇させることができる。
【０１０５】
このように、本実施の形態では、導体層１２、特に狭窄部１６に光を照射しながら電流を印加することで、近接場光を発生させ、これを磁気信号の記録に利用することができる。そのため、より一層幅の狭いサーボ信号を形成することができるので、高トラックピッチに対応したサーボ信号を良好に記録することができる。
【０１０６】
なお、磁気ディスク１５’に記録される各々のサーボ信号の幅は、特に限定されるものではないが、その上限は、隣接するサーボ信号と重ならない幅であればよい。具体的には、狭窄部１６の幅の１／２未満となっていればよい。もちろん下限は、サーボ信号を記録可能でかつ再生可能な幅となっていればよく、幅が狭いほど高トラックピッチ化に好適に対応することができる。
【０１０７】
また、狭窄部１６への光の照射方法等の諸条件も、上述した条件に限られるものでなく、前記一対のサーボ信号を磁気ディスク１５’に記録可能であり、高トラックピッチ化に対応可能であるとともに、サーボ信号の記録時間を短縮するような条件であれば、公知の各種条件を好適に用いることができる。
【０１０８】
〔実施の形態３〕
本発明の他の実施形態について、図６（ａ）（ｂ）に基づいて説明すれば以下の通りである。なお、説明の便宜上、実施の形態１または２で用いた部材と同一の機能を有する部材には同一の部材番号を付記し、その説明を省略する。
【０１０９】
本実施の形態では、前記実施の形態１または２で例示した、浮上ヘッド１０が、サーボ信号を磁気ディスク１５または１５’に記録する機能に加えて、磁気ディスク１５または１５’に記録されたサーボ信号を再生する機能を有する構成について、説明する。
【０１１０】
具体的には、図６（ａ）に示すように、本実施の形態に係るサーボライタ装置は、浮上ヘッド１０’、位置制御部１３、駆動機構１４、および検出機構３０を備えている。
【０１１１】
浮上ヘッド１０’は、一対のサーボ信号２０を磁気ディスク１５または１５’に記録できることに加えて、磁気ディスク１５または１５’に記録された一対のサーボ信号２０を再生することができる。つまり、浮上ヘッド１０’は、サーボ信号を記録すると共に、記録された当該サーボ信号を再生することができる。すなわち、浮上ヘッド１０’は、サーボ信号再生手段としての機能を備えている。それゆえ、サーボ信号が良好に記録されているかどうかを検証することが可能となる。なお、浮上ヘッド１０’は、磁界を感知するものであり、例えば、磁気抵抗効果素子からなっている。
【０１１２】
検出機構３０は、図６（ｂ）に示すように、第一検出部３１、第二検出部３２及び演算部３３で構成されている。第一検出部３１と第二検出部３２とは、それぞれ浮上ヘッド１０’で再生されたサーボ信号を検出する。本実施の形態では、説明の便宜上、第一検出部３１は外周側のサーボ信号２１を、第二検出部３２は内周側のサーボ信号２２を検出するものとして、以下説明するが、本発明には、これに限定されるものではない。
【０１１３】
また、演算部３３は、第一検出部３１と第二検出部３２とで検出された信号を演算し、その結果を位置制御用信号として出力するものである。演算としては、第一検出部３１及び第二検出部３２の検出信号から和信号を形成するとよい。なお、図示はしていないが、浮上ヘッド１０’は、出力された位置制御信号に基づいて位置制御が行われる。図６（ｂ）は、位置合わせを行うための位置信号を検出するためのブロック図の一例を示している。
【０１１４】
駆動機構１４は、浮上ヘッド１０’を、検出機構３０から出力される信号に基づき、適切な位置に移動させるものである。駆動機構１４の構成は、特に限定されるものではなく、検出機構３０から出力される信号が入力でき、その信号に基づき、浮上ヘッド１０’を適切な位置に移動させることができればよい。
【０１１５】
以上のように、本発明に係るサーボライタ装置は、半径方向においてそれぞれの先頭位置が同一角度位置から形成され、お互いに磁化方向が反転している一対のサーボ信号を同時に記録するものである。
【０１１６】
換言すれば、本発明に係るサーボライタ装置は、磁気ヘッドの位置制御を行うためのサーボ信号を磁気ディスク上に記録するためのサーボライタ装置において、サーボライタ装置は、狭窄部が形成された導体層を有する浮上ヘッドと、サーボ信号としての情報を提供する位置制御手段と、前記浮上ヘッドを所定の位置へ移動するための駆動手段とを少なくとも有し、前記狭窄部は半径方向に形成され、狭窄部の外周側と内周側が同一角度位置になっており、前記導体層に電流を印加することによって前記狭窄部から発生する磁界を用いて、半径方向おいてそれぞれの先頭位置が同一角度位置から形成され、お互いに磁化方向が反転している一対のサーボ信号を記録する構成を有していることが好ましい。
【０１１７】
前記サーボライタ装置においては、さらに前記狭窄部に光を照射する光源部を有し、前記光源から前記狭窄部に光を照射するとともに前記導体層に電流を印加することによって前記狭窄部から発生する磁界を用いて、前記一対のサーボ信号を記録することがより好ましい。
【０１１８】
また、前記サーボライタ装置では、前記一対のサーボ信号を構成する各々のサーボ信号の幅を、前記狭窄部の幅の１／２より狭く記録することが好ましい。
【０１１９】
さらに、本発明に係るサーボ信号記録方法は、磁気ヘッドの位置制御を行うためのサーボ信号を磁気ディスク上に記録するサーボ信号記録方法において、狭窄部が形成された導体層を有する浮上ヘッドと、サーボ信号としての情報を提供する位置制御手段と、前記浮上ヘッドを所定の位置へ移動するための駆動手段とを少なくとも用いてサーボ信号を記録方法であり、前記狭窄部は半径方向に形成され、狭窄部の外周側と内周側が同一角度位置になっており、前記導体層に電流を印加することによって前記狭窄部から発生する磁界を用いて、半径方向においてそれぞれの先頭位置が同一角度位置から形成され、お互いに磁化方向が反転している一対のサーボ信号を記録する方法であることが好ましい。
【０１２０】
前記サーボ信号記録方法においては、前記狭窄部に光を照射する光源部を用いて、前記光源から前記狭窄部に光を照射するとともに前記導体層に電流を印加することによって前記狭窄部から発生する磁界によって、前記一対のサーボ信号を記録することが好ましい。
【０１２１】
また、前記サーボ信号記録方法では、前記一対のサーボ信号を構成する各々のサーボ信号の幅を、前記狭窄部の幅の１／２より狭く記録することが好ましい。
【０１２２】
上記構成または方法を有していれば、高トラックピッチ化に対応したサーボ信号を記録できるとともに、サーボ信号の記録時間を短縮することができる。さらに、発生磁界方向が反転した記録磁界を同時に印加することが出来るので、簡単な装置構成のままとすることができ、製造プロセスの煩雑化や製造コストの増大を回避することができる。
【０１２３】
このようなサーボライタ装置または、サーボ信号記録方法により、サーボ信号が記録された情報記録媒体にデータを記録および再生する情報記録再生装置について、以下の各実施の形態で具体的に説明する。なお、本発明には、そのような情報記録再生装置も含まれる。
【０１２４】
〔実施の形態４〕
本実施の形態に係る情報記録再生装置について、図７〜図１３に基づいて説明すれば、以下の通りである。なお、説明の便宜上、実施の形態１〜３で用いた部材と同一の機能を有する部材には同一の部材番号を付記し、その説明を省略する。
【０１２５】
本実施の形態に係る情報記録再生装置は、前記実施の形態１〜３の何れかに例示したサーボライタ装置で磁気ディスク１５または１５’に記録したサーボ信号を、磁気ヘッドの位置合わせに利用して、磁気ディスク１５または１５’に情報を記録し、当該記録された情報を再生する装置である。ここで、本実施の形態に係る情報記録再生装置において、前記実施の形態１〜３の何れかに例示したサーボライタ装置で磁気ディスク１５または１５’に記録したサーボ信号を、磁気ヘッドの位置合わせに利用する代表的な例について説明する。もちろん位置合わせ方法は本実施の形態にのみ限定されるものではなく、各記録再生装置の種類等によって異なるものであり、本発明の技術分野にて公知の位置合わせ方法を何れも好適に利用することができる。
【０１２６】
本実施の形態における情報記録再生装置は、図７（ａ）に示すように、浮上ヘッド１０、データの記録再生およびサーボ信号の再生を行う記録再生ヘッド２４、位置制御部１３’、駆動機構１４、及び検出機構３０を備えている。
【０１２７】
浮上ヘッド１０は、一対のサーボ信号２０を記録するための磁気ヘッドである。
【０１２８】
検出機構３０は、図７（ｂ）に示すように、第一検出部３１、第二検出部３２及び演算部３３で構成されている。第一検出部３１と第二検出部３２とは、それぞれ浮上ヘッド１０で再生されたサーボ信号を検出する。本実施の形態では、説明の便宜上、第一検出部３１は外周側のサーボ信号２１を、第二検出部３２は内周側のサーボ信号２２を検出するものとして、以下説明するが、本発明には、これに限定されるものではない。
【０１２９】
また、演算部３３は、第一検出部３１と第二検出部３２とで検出された信号を演算し、その結果を位置制御用信号として出力するものである。演算としては、第一検出部３１及び第二検出部３２の検出信号から和信号を形成するとよい。図７（ｂ）は、位置合わせを行うための位置信号を検出するためのブロック図の一例を示している。
【０１３０】
位置制御部１３は、上記位置制御用信号に基づいて、浮上ヘッド１０の位置制御を行う。
【０１３１】
記録再生ヘッド２４は、本実施の形態に係るサーボライタ装置によってサーボ信号が記録された情報記録媒体１５または１５’のデータ領域にデータを記録したり、当該データを再生したりするものである。上述したように、図８に示すように情報記録媒体１５または１５’にサーボ信号が記録されている場合、データ領域としては、データ領域１及びデータ領域２又は２‘を用いることができる。記録再生ヘッド２４は、データ領域にデータを記録できるように、検出機構３０から出力された信号に基づき、位置合わせが行われる。
【０１３２】
記録再生ヘッド２４は、特に限定されるものではないが、データ記録手段とサーボ信号・データ再生手段とが組み込まれている。上記データ記録手段としては、例えば、実際に図８のデータ領域１にデータの記録を行うためには、図１２に示されているような形状の電磁界発生素子を利用することができる。
【０１３３】
図１２は、二端子を有した導体に狭窄部を設けた電磁界発生素子の構成を示す上面図である。図１２に示すように、電磁界発生素子１７０ａは、基板１００と、基板１００上に設けられた板状の導体３１０とを備えている。導体３１０は、並置された２つの矩形板状の端子３１０ａ・３１０ｂと、端子３１０ａと端子３１０ｂとを接続する狭窄部１２０とを備えている。狭窄部１２０は、積層面上を端子３１０ａおよび端子３１０ｂの両方から離れる方向に向かって凸となる弧状の導体層である。言い換えれば、前記狭窄部１２０は、導体３１０において電流３８０が流れる方向（紙面下部側から紙面上部側へ向かう方向）に対して、積層面上で直交する方向に延びるように電流方向の一方の片側端部を窪ませ他方の片側端部を膨らませたことによって形成されている。
【０１３４】
電磁界発生素子１７０ａでは、電流３８０が端子３１０ａから端子３１０ｂに向かって流されたとき、電流３８０は狭窄部１２０において狭窄される。このとき、狭窄部１２０近傍で発生する磁界の向きは、右ねじの法則により、狭窄部１２０の、電流の向きに対して左側となる側面３３０において、紙面裏面側から紙面表面側に向かう方向であり、狭窄部１２０の、電流の向きに対して右側となる側面３４０において、紙面表面側から紙面裏面側に向かう方向である。また、狭窄部１２０における電流３８０の電流密度は、狭窄部１２０において紙面下部（側面３４０側）に向かうほど大きいので、狭窄部１２０における磁界の強さは、狭窄部１２０の側面３４０側が強く、側面３３０に向かうに従って弱くなる。したがって、本形状は狭窄部１２０の側面３４０近傍の垂直磁界発生に適している。
【０１３５】
このような電磁界発生素子を搭載した記録再生ヘッドであれば、近接場光を発生させるとともに、側面３４０近傍で、紙面垂直方向に強い磁界を発生させることができる。したがって、このような電磁界発生素子の形状をもっと、本実施の形態に適した形状に形成することにより、データ領域１の幅に対応したデータを記録することができる。
【０１３６】
なお、図１２に示される電磁界発生素子の詳細については、特開２００４−３０３２９９号公報（平成１６（２００４）年１０月２８日公開）を参照されたい。
【０１３７】
また、図８のデータ領域２又は２‘にデータの記録を行う場合にも、電磁界発生素子１７０ａと同様の形状の電磁界発生素子を利用することができる。この場合、電磁界発生素子１７０ａを、データ領域２もしくは２‘の半径位置に記録できるように、記録再生ヘッド上に形成すればよい。
【０１３８】
さらに、例えば、記録再生ヘッド上に、複数の記録再生ヘッド２４を形成することにより、データ領域１とデータ領域２又は２‘とを共に利用することもできる。
【０１３９】
記録再生ヘッド２４のサーボ信号・データ再生手段は、記録再生ヘッド２４のデータ記録手段によって情報記録媒体１５または１５’に記録されたデータを再生したり、サーボ信号を再生したりするものである。このため、上記サーボ信号・データ再生手段としては、サーボ信号再生用と、データの再生用の２つの手段から構成されていてもよいし、1つの手段でサーボ信号とデータとの両方を再生するものでもよい。上記サーボ信号・データ再生手段は、磁界を感知するものであり、例えば、磁気抵抗効果素子からなっている。また、サーボ信号の再生時には、外周側のサーボ信号２１と内周側のサーボ信号２２とを１つの磁気ヘッドで検出するものに限られるものでなく、２つの磁気ヘッドで構成されている形態でもよい。すなわち、外周側のサーボ信号２１と内周側のサーボ信号２２とを別個の磁気ヘッドで再生して、検出する形態でもよい。
【０１４０】
データの記録もしくは再生時に、例えば後述するような方法によってサーボ信号を再生することによって、記録再生ヘッド２４をデータ領域に精密に位置合わせができればよい。
【０１４１】
データを記録再生する際、記録再生ヘッド２４を検出機構３０から出力された信号に基づいて、適切な位置に位置合わせされる。これにより、情報記録媒体１５または１５’上のデータを正しく再生することができる。
【０１４２】
駆動機構１４は、浮上ヘッド１０、及び記録再生ヘッド２４を、検出機構３０から出力される信号に基づき、適切な位置に移動させるものである。駆動機構１４の構成は、特に限定されるものではなく、検出機構３０から出力される信号が入力でき、その信号に基づき、浮上ヘッド１０、及び記録再生ヘッド２４を適切な位置に移動させることができればよい。
【０１４３】
すなわち、サーボ信号の記録は、浮上ヘッド１０を用いて、検出機構３０、位置制御部１３及び駆動機構１４を用いて、実施の形態１〜３に記述したような方法によって行う。また、データの記録再生は、記録再生ヘッド２４を用いて、後述するような方法によってサーボ信号に基づいて、記録再生ヘッド２４の位置合わせを行いながら、検出機構３０、位置制御部１３及び駆動機構１４を用いて、データの記録再生を行う。
【０１４４】
また、本実施の形態に係る情報記録再生装置は、さらに、実施の形態１〜３で説明したサーボライタ装置を１構成要素として備えていてもよい。
【０１４５】
上述のような構成とすれば、サーボライタ機能が追加された情報記録再生装置を実現することができる。このような情報記録再生装置によれば、情報記録媒体１５または１５’に実施の形態１〜３サーボライタ装置でサーボ信号を記録した後、情報記録媒体１５または１５’を他の情報記録再生装置に組み込む手間を省略すること可能となる。
【０１４６】
次に、図９〜図１１を用いて記録再生ヘッド２４の位置合わせ方法について説明する。なお、以下の記載は、本発明のサーボライタ装置またはサーボ信号記録方法により記録されたサーボ信号に基づき、磁気ヘッドの位置合わせを行う方法を説明するものであり、図９〜図１１もまた、その説明のために、便宜上用いるものである。したがって、本発明は、これに限定されるものではない。すなわち、ここでは、記録再生ヘッド２４の位置合わせ方法について説明するが、サーボ信号を再生可能な他の磁気ヘッド、例えば、浮上ヘッド１０’や後述の磁気ヘッド２３の位置合わせも同様の方法によって行うことができる。
【０１４７】
図９〜図１１は、本発明によるサーボライタ装置でサーボ信号が記録された情報記録媒体１５または１５’から検出された信号及び演算部３３で演算された結果出力される位置制御信号を示している。
【０１４８】
図９〜図１１において、最上段は、外周側のサーボ信号２１・内周側のサーボ信号２２を記録再生ヘッド２４により読み取る状態を模式的に示しており、次の段（上から二段目）は、第一検出部３１により検出される、最上段のサーボ信号２１・２２に対応する信号を示しており、さらに次の段（上から三段目）は、第二検出部３２により検出される、最上段のサーボ信号２１・２２に対応する信号を示しており、最下段（上から四段目）は、演算部３において演算された後、出力される信号を示す。
【０１４９】
また、図９〜図１１に示すように、外周側のサーボ信号２１において、紙面裏側から表側向きの磁化方向のサーボ信号が形成される（図９〜図１１中、白い部分）場合、内周側のサーボ信号２２は、半径方向において先頭位置が同一角度位置から形成された位置に、表側から裏側向きの磁化方向のサーボ信号（図９〜図１１中、斜線部分）が形成される。
【０１５０】
ここで、まず、図９を用いて、記録再生ヘッド２４が一対のサーボ信号２０上に位置している時に第一検出部３１及び第二検出部３２で検出される信号と、演算部３３から出力される信号とについて説明する。
【０１５１】
図９の上段に示すように、記録再生ヘッド２４が、紙面裏側から表側向きの磁化方向に形成されたサーボ信号を再生した場合、第一検出部３１では、ゼロレベルより上部に検出信号が得られ、反対に表側から裏側向きの磁化方向のサーボ信号を再生した場合、ゼロレベルより下部に検出信号が得られる。また、外周側のサーボ信号２１と内周側のサーボ信号２２を１つの磁気ヘッドで再生する場合、外周側のサーボ信号２１と内周側のサーボ信号２２とに挟まれた領域も再生することになる。しかしながら、この領域は、紙面裏側から表側へも、表側から裏側にも磁化が揃っている（記録されている）状態ではなく、ランダムに磁化方向が向いているため、再生に関与しない。なお、何らか再生に関与するようであれば、予めゼロレベルからオフセットを考慮することにより、正確に位置合わせを行うことができる。同様に、第二検出部３２では、図９の中段に示すように、紙面表側から裏側向きの磁化方向に形成されたサーボ信号を再生した場合、ゼロレベルより上部に検出信号が得られ、反対に裏側から表側向きの磁化方向のサーボ信号を再生した場合、ゼロレベルより下部に検出信号が得られる。したがって、記録再生ヘッド２４で、外周側のサーボ信号２１と内周側のサーボ信号２２とで構成された一対のサーボ信号２０を再生し、第一検出部３１及び第二検出部３２からの検出信号に基づいて演算部３３で位置信号を形成すると、図９の下段に示したように、お互いにキャンセルされ、ほとんど信号振幅のない再生信号が得られる。
【０１５２】
次に、図１０を用いて記録再生ヘッド２４の位置が外周方向（紙面の上部方向）に移動した場合について説明する。図１０の上段に示すように、記録再生ヘッド２４が外周方向に移動しても、外周側のサーボ信号２１を再生することができる。これは外周側のサーボ信号２１が記録再生ヘッド２４の中心方向に移動することになるので、外周側のサーボ信号２１が記録再生ヘッド２４から外れてしまうことはないためである。
【０１５３】
反対に内周側のサーボ信号２２の場合、記録再生ヘッド２４が外周方向へ移動すると、記録再生ヘッド２４の内周側のエッジから外れてしまうことになる。この結果、図１０の中段に示すように、内周側のサーボ信号２２からの再生信号の信号振幅が小さくなる。
【０１５４】
このため、記録再生ヘッド２４が外周方向に移動した場合、キャンセルされることはなく、演算部３３から得られる位置信号は、図１０の下段に示すような信号振幅を持った再生信号が得られる。
【０１５５】
次に、図１１を用いて記録再生ヘッド２４の位置が内周方向（紙面の下部方向）に移動した場合について説明する。記録再生ヘッド２４が内周方向に移動すると、外周側のサーボ信号２１は記録再生ヘッド２４の外周側のエッジから外れてしまうことになる。この結果、図１１の上段に示したように、外周側のサーボ信号２１から得られる再生信号の信号振幅が小さくなる。
【０１５６】
反対に内周側のサーボ信号２２の場合、記録再生ヘッド２４の中心方向に移動することになるので、内周側のサーボ信号２２が記録再生ヘッド２４から外れてしまうことはない。このため、図１１の中段に示したように、記録再生ヘッド２４が内周方向に移動しても、内周側のサーボ信号２２を再生することができる。
【０１５７】
したがって、記録再生ヘッド２４が内周方向に移動すると、演算部３３から得られる位置信号は、図１１の下段に示したような信号振幅を持った再生信号が得られる。
【０１５８】
このように、記録再生ヘッド２４が、半径方向においてそれぞれの先頭位置が同一角度位置から形成され、お互いに磁化方向が反転している一対のサーボ信号２０上を、移動している場合は、信号振幅がほとんど得られないが、半径方向に移動した場合、それぞれ極性が反対の信号振幅を持つ再生信号が得られることになる。したがって、外周側又は内周側に移動したことを、極性によって判断することが可能であり、信号振幅が０になるように記録再生ヘッド２４の位置を補正すれば、正確な位置制御をすることができる。
【０１５９】
なお、記録再生ヘッド２４が、一対のサーボ信号２０上にあるときに、記録再生ヘッド２４で再生される外周側のサーボ信号２１と内周側のサーボ信号２２との再生信号の振幅が等しくなっていればよい。好ましくは、前記記録再生ヘッド２４の半径方向の幅を、前記一対のサーボ信号２０のうち、外周側のサーボ信号２１の外周部と内周側のサーボ信号２２の内周部との間隔と同じ幅にすれば、より正確に位置合わせを行うことができる。
【０１６０】
さらに、上記情報記録再生装置は、図１３に示すように、磁気ヘッド２３、位置制御部１３’、駆動機構１４、及び検出機構３０を備える構成とすることもできる。磁気ヘッド２３は、上記浮上ヘッド１０と記録再生ヘッド２４との両方の役割を兼ねる磁気ヘッドである。上記構成によれば、情報記録再生装置の装置構成をコンパクトにすることができ、サーボ信号の記録とデータの記録再生を同一の装置で行うことができる。また、光源部１７も備えることにより、磁気ディスク１５にも磁気ディスク１５’にも記録再生が可能である。
【０１６１】
磁気ヘッド２３は、サーボ信号の再生と、データの記録と、データの再生とを行うことができるものであれば、特に限定されるものではない。例えば、サーボ信号の記録用に図１（ａ）に示したような導体層を有する磁気ヘッドを、データの記録用に図１２に示したような電磁界発生素子を、またデータおよびサーボ信号の再生用磁気抵抗効果素子を備えていればよい。もしくは、サーボ信号及びデータ信号の記録を行うために、サーボ信号の記録用に図１（ａ）に示したような導体層を有する磁気ヘッドと、データおよびサーボ信号の再生用磁気抵抗効果素子とを備えている形態でもよい。この場合、サーボ信号の記録時には、狭窄部全体に光を照射し、データ記録時には、狭窄部の片側だけに、光を照射することにより、サーボ信号もしくはデータ信号の記録が可能となる。
【０１６２】
本発明は、以上説示した各構成に限定されるものではなく、特許請求の範囲に示した範囲で種々の変更が可能であり、異なる実施の形態にそれぞれ開示された技術的手段を適宜組み合わせて得られる実施の形態についても本発明の技術的範囲に含まれる。
【産業上の利用可能性】
【０１６３】
本発明は、磁気記録、光アシスト磁気記録、光磁気記録等の光及び磁界を用いてデータを記録するために用いられる情報記録媒体にサーボ信号を記録するサーボライタ装置に利用可能である。さらに、当該サーボ信号が記録された情報記録媒体の製造や、当該情報記録媒体に、データを記録、再生もしくは消去を行う記録再生装置にも利用可能である。
【図面の簡単な説明】
【０１６４】
【図１】図１（ａ）は、本発明の一実施形態に係る浮上ヘッドの導体層の構成を示す導体層の一例の上面図であり、図１（ｂ）は、図１（ａ）に示す浮上ヘッドの導体層に電流を印加したときに発生する磁界を示す斜視図である。
【図２】図２（ａ）は、図１（ａ）に示す導体層を備えるサーボライタ装置の一例の概略を示すブロック図であり、図２（ｂ）は、図２（ａ）に示すサーボライタ装置において、図１（ａ）に示す浮上ヘッドと情報記録媒体との位置関係を示す模式的平面図である。
【図３】図１（ａ）に示す導体層の具体的な構成の一例を示す平面図である。
【図４】図２（ａ）に示すサーボライタ装置を用いてサーボ信号を記録する方法の一例の概略を示す模式図である。
【図５】図５（ａ）は、本発明の他の実施形態に係るサーボライタ装置の一例の概略を示すブロック図であり、図５（ｂ）は、図５（ａ）に示すサーボライタ装置において、浮上ヘッドが備える導体層の構成の一例を示す導体層の上面図である。
【図６】図６（ａ）は、本発明のさらに他の実施形態に係るサーボライタ装置一例の概略を示すブロック図であり、図６（ｂ）は、図６（ａ）に示すサーボライタ装置が備える検出機構の構成の一例を示すブロック図である。
【図７】図７（ａ）は、本発明の一実施形態に係る情報記録再生装置の要部を示すブロック図であり、図７（ｂ）は、図７（ａ）に示す情報記録再生装置が備える検出機構の構成の一例を示すブロック図である。
【図８】本発明において、サーボ領域とデータ領域との関係について説明する模式図である。
【図９】サーボ信号を再生したときの検出した信号の一例を示す模式図である。
【図１０】サーボ信号を再生したときの検出した信号の一例を示す模式図である。
【図１１】サーボ信号を再生したときの検出した信号の一例を示す模式図である。
【図１２】図７（ａ）に示す情報記録再生装置のデータ記録用ヘッドに用いる電磁界発生素子の構成を示す上面図である。
【図１３】図１３は、本発明の他の実施形態に係る情報記録再生装置の要部を示すブロック図である。
【符号の説明】
【０１６５】
４            帯状部
５            一対の凹部
５ａ            凹部
５ｂ            凹部
１０            浮上ヘッド（サーボ信号記録手段）
１０’          浮上ヘッド（サーボ信号記録手段、サーボ信号再生手段）
１１            スライダー
１２            導体層
１３，１３’    位置制御部（位置制御手段）
１４，          駆動機構（駆動手段）
１５，１５’    磁気ディスク（情報記録媒体）
１６            狭窄部
１７            光源部（光源手段）
１８            レーザスポット
２０            一対のサーボ信号
２１            外周側の磁気信号（外周側のサーボ信号）
２２            内周側の磁気信号（内周側のサーボ信号）
２３            磁気ヘッド
２４            記録再生ヘッド（データ記録手段、サーボ信号・データ再生手段、再生記録手段）
３０            検出機構
３１            第一検出部
３２            第二検出部
３３            演算部
【図１】
2007334989.tif 000003
【図２】
2007334989.tif 000004
【図３】
2007334989.tif 000005
【図４】
2007334989.tif 000006
【図５】
2007334989.tif 000007
【図６】
2007334989.tif 000008
【図７】
2007334989.tif 000009
【図８】
2007334989.tif 000010
【図９】
2007334989.tif 000011
【図１０】
2007334989.tif 000012
【図１１】
2007334989.tif 000013
【図１２】
2007334989.tif 000014
【図１３】
2007334989.tif 000015